(57)【要約】      （修正有）【課題】使用者の顔面に対して化粧液の効果を簡単かつ確実に発揮させることができるフェイスマスク収容体を提供する。【解決手段】化粧液Ｌを浸み込ませたフェイスマスク１０を収容するフェイスマスク収容体１において、フェイスマスクと、フェイスマスクを支持する支持部材２０と、フェイスマスクおよび支持部材を収容する容器とを備え、支持部材は、容器の長さ方向に延びる棒状に形成されており、フェイスマスクが周方向に巻き付けられている。【選択図】図２
0003211056.tif 000002
【実用新案登録請求の範囲】
【請求項１】
化粧液を浸み込ませたフェイスマスクを収容するフェイスマスク収容体において、
フェイスマスクと、
前記フェイスマスクを支持する支持部材と、
前記フェイスマスクおよび前記支持部材を収容する容器とを備え、
前記支持部材は、前記容器の長さ方向に延びる棒状に形成されており、前記フェイスマスクが周方向に巻き付けられていることを特徴とするフェイスマスク収容体。
【請求項２】
前記支持部材は、前記容器の長さ方向に延びる態様で第１の支持片と第２の支持片に分岐しており、前記フェイスマスクが前記第１の支持片と第２の支持片により挟持された状態で周方向に巻き付けられている請求項１に記載のフェイスマスク収容体。
【請求項３】
前記支持部材は、前記容器の底部側の端部に前記フェイスマスクの端部を掛け止めるための掛止部が設けられている請求項１または請求項２に記載のフェイスマスク収容体。
【請求項４】
前記支持部材は、前記容器の開口部側の端部に指で摘むための摘み部が設けられている請求項１から請求項３のいずれかに記載のフェイスマスク収容体。
【考案の詳細な説明】
【技術分野】
【０００１】
本考案は、化粧液を浸み込ませたフェイスマスクを収容するフェイスマスク収容体に関するものである。
【背景技術】
【０００２】
従来から、美容の分野において、シート材を皮膚に貼り付けて、皮膚の汚れや垢を取り除くとともに、皮膚の角質に保湿性と柔軟性を与えるパック材が広く使用されている。このパック材の代表的なものとして、顔面を覆う形状に形成され、化粧液を浸み込ませたシート材を使用者の顔面に貼り付けるフェイスマスクがある。
【０００３】
そこで、特許文献１において、顔全体をパックするために使用するフェイスマスクであり、該フェイスマスクは液体を含浸可能な折畳まれたシート状物からなり、周縁部に外方に突出した摘み部を少なくとも２つ有し、該摘み部がほぼ対向する位置に設けられていることを特徴とするフェイスマスクが提案されている。
【０００４】
また、特許文献２において、顔面形状に形成され、化粧水を含浸させた不織布シートを使用者の顔面に貼り付けるフェイスパックマスクであって、フェイスパックマスクの左領域は、縦の折り曲げ線で、中央領域の左半分の上面に内折りをした後に外折りをして折り畳み、右領域は、縦の折り曲げ線で、中央領域の右半分の上面に内折りをした後に外折りをして折り畳み、外折りの左端部と右端部とを内折りの外縁部よりも左右方向にそれぞれ突出させるとともに、この折り畳み後に、横の折り曲げ線で、２つ重ねで折り畳むことを特徴とするフェイスパックマスクが提案されている。
【０００５】
また、特許文献３において、所定形状に打ち抜き形成したシート本体が、シート面の中央部分を含む第１領域と、第１領域の左右両側に隣接する一対の第２領域と、第２領域の左右の外側方に隣接する一対の第３領域と、第３領域の外側方に隣接する左右一対のつまみ領域とを有し、左右の第２領域が、第１領域の中央部分へ向かって折り曲げられ、左右の第３領域が、第２領域と逆向きに折り曲げられており、第１〜３の各領域とつまみ領域とが、左右に横断する横折り線に沿って二つ折りにした状態で包装されていることを特徴とするフェイスパックマスクシートが提案されている。
【０００６】
また、特許文献４において、基材シートに化粧料が保持され、折り畳まれた状態のフェイスマスクが包装袋に収納されたフェイスマスク包装体において、該フェイスマスクの少なくとも一部が該包装袋の内側の面に二個所以上で剥離可能に固着されていることを特徴とするフェイスマスク包装体が提案されている。
【先行技術文献】
【特許文献】
【０００７】
【特許文献１】実用新案登録第３０７２０２７号
【特許文献２】特開２００６−０４２９８１号公報
【特許文献３】特開２００６−３４０８４７号公報
【特許文献４】特開２０１０−１４２２６３号公報
【考案の概要】
【考案が解決しようとする課題】
【０００８】
しかしながら、上記のフェイスマスクはいずれも化粧液が浸み込んだ状態で幾重にも折り畳まれて収容されるため、折り畳まれた層同士が化粧液により貼り付き、使用者は貼り付いた層同士を破れないよう慎重にかつ多方向に剥離する必要があり、フェイスマスクの展開に手間がかかるという問題があった。
【０００９】
また、上記のフェイスマスクが平面的なシート状態で収容されるため、フェイスマスクに外力が作用するとフェイスマスクに痕が付きやすいあるいはフェイスマスクが型崩れしやすいという問題があった。しかも、一般に包装袋は可撓性材料で形成されているため、この問題が顕著であった。
【００１０】
また、上記のフェイスマスクは、折り畳まれた層同士の間に隙間がないため、収容袋に化粧液を充填しても折り畳まれた層同士の間に化粧液が十分に行き渡らず、フェイスマスクの深部まで化粧液が浸み込みにくいという問題があった。
【００１１】
また、上記のフェイスマスクは、多数の折り目が形成されているため、顔面に貼り付けられた際に折り目近傍が顔面から浮いて、顔面に正確に追随しないという問題があった。
【００１２】
本考案は、上述の技術的背景に鑑みてなされたものであり、使用者の顔面に対して化粧液の効果を簡単かつ確実に発揮させることができるフェイスマスク収容体を提供することを目的とする。
【課題を解決するための手段】
【００１３】
本考案は、上記目的を達成するために、化粧液を浸み込ませたフェイスマスクを収容するフェイスマスク収容体において、フェイスマスクと、前記フェイスマスクを支持する支持部材と、前記フェイスマスクおよび前記支持部材を収容する容器とを備え、前記支持部材は、前記容器の長さ方向に延びる棒状に形成されており、前記フェイスマスクが周方向に巻き付けられていることを特徴とする。
【００１４】
これによれば、使用者はフェイスマスクが巻き付けられた支持部材を容器から取り出したのち、フェイスマスクの端部を摘まんで、支持部材またはフェイスマスクを巻付方向と反対方向に回すことによって、フェイスマスクを簡単に展開することができる。また、フェイスマスクが立体的な塊状態で収容されるため、フェイスマスクに外力が作用しても、フェイスマスクに痕が付きあるいはフェイスマスクが型崩れすることを抑制することができる。さらに、フェイスマスクの巻き付けられた層同士の間にわずかな空間が形成されるため、容器内に化粧液を充填すると、化粧液がフェイスマスクの層同士の間に入り込み易くなって、化粧液をフェイスマスクの深部まで行き渡らせることができる。さらにまた、フェイスマスクの折り目が極力少なくなるため、フェイスマスクを顔面に貼り付けた際にフェイスマスクが顔面に正確に追随することができる。
【００１５】
また、前記支持部材は、前記容器の長さ方向に延びる態様で第１の支持片と第２の支持片に分岐しており、前記フェイスマスクが前記第１の支持片と第２の支持片により挟持された状態で周方向に巻き付けられているのが好ましい。これによれば、フェイスマスクが支持部材の第１の支持片と第２の支持片により挟持されるため、製造時においてフェイスマスクを支持部材に確実に巻き付けることができるとともに、使用時において支持部材を容器から取り出す際にフェイスマスクが支持部材からずれたり脱落することを確実に防止することができる。
【００１６】
また、前記支持部材は、前記容器の底部側の端部に前記フェイスマスクの端部を掛け止めるための掛止部が設けられているのが好ましい。これによれば、掛止部がフェイスマスクの端部を掛け止めるため、使用時において支持部材を容器から取り出す際にフェイスマスクが支持部材からずれたり脱落することをより確実に防止することができる。
【００１７】
また、前記支持部材は、前記容器の開口部側の端部に指で摘むための摘み部が設けられているのが好ましい。これによれば、製造時において製造者または製造機械が摘み部を摘まみながら支持部材を周方向に回転させることにより、フェイスマスクを支持部材に簡単かつ確実に巻きつけることができる。また、使用時において使用者が摘み部を摘まみながら支持部材またはフェイスマスクを巻付方向と反対方向に回転させることにより、フェイスマスクを簡単かつ確実に展開することができる。
【００１８】
これによれば、フェイスマスクを簡単に展開することができるフェイスマスク収容体を簡単かつ確実に製造することができる。
【考案の効果】
【００１９】
本考案によれば、使用者はフェイスマスクが巻き付けられた支持部材を容器から取り出したのち、フェイスマスクの端部を摘んで支持部材またはフェイスマスクを巻付方向と反対の一方向に回すだけで、フェイスマスクの巻き付けられた層同士が剥離するため、フェイスマスクを簡単に展開することができる。また、フェイスマスクが立体的な塊状態で収容されるため、フェイスマスクに外力が作用しても、フェイスマスクに痕が付きあるいはフェイスマスクが型崩れすることを抑制することができる。さらに、巻き付けられた層同士の間にわずかな空間が形成されるため、容器内に化粧液を充填すると化粧液がフェイスマスクの層同士の間に入り込みやすくなって、化粧液をフェイスマスクの深部まで行き渡らせることができる。さらにまた、フェイスマスクの折り目が極力少なくなるため、フェイスマスクを顔面に貼り付ける際にフェイスマスクが顔面に正確に追随することができる。
【００２０】
而して、使用者の顔面に対して化粧液の効果を簡単かつ確実に発揮させることが可能となる。しかも、フェイスマスクを収容する容器の色や形状をデザインすることによって、フェイスマスク収容体の意匠性や高級感を向上させることが可能となる。
【図面の簡単な説明】
【００２１】
【図１】フェイスマスク収容体の斜視図である。
【図２】フェイスマスク収容体の縦断面図である。
【図３】フェイスマスク収容体の横断面図である。
【図４】フェイスマスクの正面図である。
【図５】支持部材の正面図である。
【図６】フェイスマスクを収容する手順を示す正面図である。
【考案を実施するための形態】
【００２２】
次に、本考案に係るフェイスマスク収容体（以下、本収容体１という。）の一の実施形態について図１〜図６を参照しつつ説明する。  
【００２３】
本収容体１は、図１〜図３に示すように、化粧液Ｌを浸み込ませたフェイスマスク１０を収容するフェイスマスク収容体である。この本収容体１は、フェイスマスク１０と、フェイスマスク１０を支持する支持部材２０と、フェイスマスク１０および支持部材２０を収容する容器３０とを備えている。
【００２４】
前記フェイスマスク１０は、図４に示すように、顔面を覆う形状に形成されており、目と口に対応する部分に長円状の孔１１、１２が設けられ、目尻と鼻に対応する部分にスリット１３、１４が設けられている。また、フェイスマスク１０は、顔面に容易に沿うよう、周縁部に内側方向に延びるスリット１５が複数設けられている。
【００２５】
この前記フェイスマスク１０は、上下方向における中央部の横中央線１６に沿って二つ折りされた状態で前記支持部材２０に支持されている。なお、本明細書において「上下方向」「左右方向」とはそれぞれ、図４および図６に正対したときの上下方向、左右方向をいう。  
【００２６】
前記支持部材２０は、図５に示すように、透明な合成樹脂により容器３０の長さ方向に延びる棒状に形成され、フェイスマスク１０が周方向に巻き付けられている。これによれば、フェイスマスク１０の折り目が極力少なくなるため、フェイスマスク１０を顔面に貼り付ける際にフェイスマスク１０が顔面に正確に追随することができる。
【００２７】
また、前記支持部材２０は、容器３０の長さ方向に延びる態様で第１の支持片２１と第２の支持片２２に分岐しており、フェイスマスク１０の左右方向の中間部が第１の支持片２１と第２の支持片２２により挟持された状態で周方向に巻き付けられている。これによれば、製造時においてフェイスマスク１０を支持部材２０に確実に巻き付けることができるとともに、使用時において支持部材２０を容器３０から取り出す際にフェイスマスク１０が支持部材２０からずれたり脱落することを確実に防止することができる。
【００２８】
また、前記支持部材２０は、容器３０の底部側の端部にフェイスマスク１０の端部を掛け止める掛止部２３が設けられている。この掛止部２３は、支持部材２０の各支持片２１、２２における容器３０の底部側の端部から支持部材２０の径方向外側に突出した突起状に形成されている。これによれば、使用時において支持部材２０を容器３０から取り出す際にフェイスマスク１０が支持部材２０からずれたり脱落することをより確実に防止することができる。
【００２９】
また、前記支持部材２０は、容器３０の開口部側の端部に指で摘むための板状の摘み部２４が設けられている。これによれば、製造時において製造者または製造機械が摘み部２４を摘まみながら支持部材２０を周方向に回転させることにより、フェイスマスク１０を支持部材２０に簡単かつ確実に巻きつけることができる。また、使用時において使用者が摘み部２４を摘まみながら支持部材２０またはフェイスマスク１０を巻付方向と反対方向に回転させることにより、フェイスマスク１０を簡単かつ確実に展開することができる。なお、摘み部２４は、縁部に滑り止めのための凸部２４１が設けられている。
【００３０】
前記容器３０は、剛性を有する合成樹脂により形成され、上部開口の容器本体３１と、容器本体３１の上部開口を閉蓋する内蓋３２および外蓋３３を備えている。
【００３１】
前記容器本体３１は、内部に収容空間が形成される部分であって、円筒状の筒状部３１１と、筒状部３１１の下端部を平面的に閉じる底面部３１２を備えている。前記筒状部３１１は、上側外周面に雄螺子部３１３が設けられ、該雄螺子部３１３の下側に筒状部３１１の径方向外側に延びる鍔部３１４が設けられている。なお、前記筒状部３１１は、上側から下側に向かうに従って、わずかに径小となる形状に形成されている。
【００３２】
また、前記容器本体３１は、フェイスマスク１０に浸み込ませる化粧液Ｌが充填されている。これによれば、容器本体３１内のフェイスマスク１０に使用される直前まで十分な量の化粧液Ｌを浸み込ませることができる。
【００３３】
また、前記容器本体３１は、赤色透明に着色されている。これによれば、外観のデザイン性を向上させることができるとともに、容器本体３１に入射する光の一部をカットして容器本体３１内部の化粧液Ｌやフェイスマスク１０の劣化を抑制することができる。
【００３４】
前記内蓋３２は、外蓋３３の内側において容器本体３１の上部開口に嵌め込まれることにより、容器本体３１を密閉している。
【００３５】
前記外蓋３３は、円筒状の筒状部３３１と、筒状部３３１の上端を平面的に閉じる上面部３３２を備えている。前記筒状部３３１は、上側内周面に容器本体３１の雄螺子部３１３が螺合する雌螺子部３３３が設けられている。外蓋３３は、内蓋３２の外側において雌螺子部３３３が容器本体３１の雄螺子部３１３が螺合することにより、容器本体３１を閉蓋している。
【００３６】
次に、本収容体１の製造方法について、図６を参照しつつ説明する。
【００３７】
まず、図６（ａ）に示すように、フェイスマスク１０を上下方向における中央部の横中央線１６に沿って上下方向に二つ折りする（第１の工程）。
【００３８】
次に、図６（ｂ）に示すように、フェイスマスク１０の左右方向における中央部を支持部材２０の第１の挟持片２１と第２の挟持片２２の間に挿入することにより、フェイスマスク１０を支持部材２０の第１の挟持片２１と第２の挟持片２２により挟持させる（第２の工程）。このとき、フェイスマスク１０の下端部が支持部材２０の掛止部２４の上方に配置されるよう、フェイスマスク１０の上下方向の位置を調節する。
【００３９】
次に、図６（ｃ）に示すように、支持部材２０の摘み部２４を摘みながら、支持部材２０またはフェイスマスク１０を周方向に回転させ、フェイスマスク１０を支持部材２０に巻き付ける（第３の工程）。
【００４０】
次に、図６（ｄ）に示すように、フェイスマスク１０が巻き付けられた支持部材２０を容器３０の容器本体３１に挿入してゆき、フェイスマスク１０および支持部材２０を容器３０の容器本体３１に収容する（第４の工程）。
【００４１】
最後に、容器３０の容器本体３１にフェイスマスク１０全体が浸される量の化粧液Ｌを充填したのち、容器本体３１を内蓋３２、外蓋３３で閉蓋することにより本収容体１を製造する。このとき、フェイスマスク１０が立体的な塊状態で収容されるため、フェイスマスク１０に外力が作用しても、フェイスマスク１０に痕が付きあるいはフェイスマスク１０が型崩れすることを抑制することができる。さらに、フェイスマスク１０の巻き付けられた層同士の間にわずかな空間が形成されるため、容器３０内に化粧液Ｌを充填すると、化粧液Ｌがフェイスマスク１０の層同士の間に入り込み易くなって、化粧液Ｌをフェイスマスク１０の深部まで行き渡らせることができる。
【００４２】
これによれば、フェイスマスク１０を簡単に展開することができる本収容体１を簡単かつ確実に製造することができる。
【００４３】
次に、本収容体１の使用方法について、図６を参照しつつ説明する。
【００４４】
まず、使用者は、一方の手で容器３０の容器本体３１を握り、他方の手で外蓋３３を平面視反時計周りに回すことにより、容器本体３１の雄螺子部３１３から外蓋３３の雌螺子部３３３を螺退させ、容器本体３１から外蓋３３を取り外す。
【００４５】
次に、使用者は、一方の手で容器３０の容器本体３１を握り、他方の手で内蓋３２を取り外すことにより、容器３０内部の支持部材２０を露出させる。
【００４６】
次に、使用者は、図６（ｄ）に示すように、一方の手で容器３０の容器本体３１を握り、他方の手で露出した支持部材２０の摘み部２４を摘み、容器３０の長さ方向に沿って支持部材２０を引っ張ってゆく。このとき、支持部材２０の第１の支持片２１と第２の支持片２２がフェイスマスク１０を挟持しているため、フェイスマスク１０が支持部材２０からずれたり脱落することを確実に防止することができる。また、支持部材２０の掛止部２３がフェイスマスク１０の下端部を掛け止めるため、フェイスマスク１０が支持部材２０からずれたり脱落することをより確実に防止することができる。
【００４７】
すると、図６（ｃ）に示すように、支持部材２０と支持部材２０に巻き付けられたフェイスマスク１０が容器３０から取り出された状態となる。
【００４８】
次に、使用者は、図６（ｂ）に示すように、他方の手でフェイスマスク１０が巻き付けられた支持部材２０の摘み部２４を摘みながら、一方の手でフェイスマスク１０の左右方向の端部を摘んで支持部材２０またはフェイスマスク１０を巻付方向と反対方向に回す。すると、フェイスマスク１０の巻き付けられた層同士が剥離し、フェイスマスク１０を簡単に左右方向に展開することができる。
【００４９】
次に、使用者は、図６（ａ）に示すように、他方の手で支持部材２０の摘み部２４を摘みながら、一方の手でフェイスマスク１０の下端部を摘んで支持部材２０の第１の支持片２１と第２の支持片２２に沿って下側にスライドさせることにより、支持部材２０からフェイスマスク１０を取り外す。このとき、フェイスマスク１０は、上下方向における中央部の横中央線１６に沿って二つ折りされた状態となっている。
【００５０】
次に、使用者は、一方の手で二つ折りされた状態のフェイスマスク１０の下側を摘み、他方の手でフェイスマスク１０の上側を摘んで、フェイスマスク１０の上側と下側を剥離する。これにより、フェイスマスク１０は、図４に示すように、上下左右方向に展開した状態となる。
【００５１】
最後に、使用者は、上下左右方向に展開したフェイスマスク１０を孔１１、１２が目と口の部分に位置するよう調整しながら顔面に貼り付ける。
【００５２】
而して、使用者はフェイスマスク１０が巻き付けられた支持部材２０を容器３０から取り出したのち、フェイスマスク１０の端部を摘んで支持部材２０またはフェイスマスク１０を巻付方向と反対方向に回すだけで、フェイスマスク１０の巻き付けられた層同士が剥離するため、フェイスマスク１０を簡単に展開することができる。また、フェイスマスク１０の折り目が極力少なくなるため、フェイスマスク１０を顔面に貼り付ける際にフェイスマスク１０が顔面に正確に追随することができる。
【００５３】
したがって、使用者の顔面に対して化粧液Ｌの効果を簡単かつ確実に発揮させることが可能となる。しかも、フェイスマスク１０を収容する容器３０の色や形状をデザインすることによって、フェイスマスク収容体１の意匠性や高級感を向上させることが可能となる。
【００５４】
なお、上記実施形態では、フェイスマスク１０は、二つ折りされた状態で支持部材２０に支持されているものとして説明したが、これに限られず、折られていない状態、あるいは三つ折り以上に折られた状態で支持部材２０に支持されてもよい。ただし、使用者がフェイスマスク１０を支持部材２０から取り外したあと展開しやすいように、折られていないか三つ折り以下に折られることが好ましい。
【００５５】
また、前記支持部材２０は、フェイスマスク１０を挟持しているものとして説明したが、これに限られず、フェイスマスク１０を挟持していなくてもよい。
【００５６】
また、前記支持部材２０は、掛止部２３が設けられているものとして説明したが、これに限られず、掛止部２３が設けられなくてもよい。
【００５７】
また、前記容器３０は、化粧液Ｌが充填されているものとして説明したが、これに限られず、化粧液Ｌが充填されていなくてもよい。
【００５８】
また、第１の工程において、フェイスマスク１０を上下方向に折るものとして説明したが、これに限られず、フェイスマスク１０を上下方向以外の方向に折ってもよい。
【００５９】
また、第２の工程において、フェイスマスク１０の左右方向における中央部を支持部材２０の第１の支持片２１と第２の支持片２２により挟持させるのとして説明したが、これに限られず、フェイスマスク１０の左右方向における中央部以外の部分を支持部材２０の第１の支持片２１と第２の支持片２２により挟持させてもよい。
【００６０】
以上、図面を参照して本考案の実施形態を説明したが、本考案は、図示した実施形態のものに限定されない。図示された実施形態に対して、本考案と同一の範囲内において、あるいは均等の範囲内において、種々の修正や変形を加えることが可能である。
【符号の説明】
【００６１】
１…本収容体（フェイスマスク収容体）
１０…フェイスマスク
１１、１２…孔
１３、１４、１５…スリット
１６…横中央線
２０…支持部材
２１…第１の支持片
２２…第２の支持片
２３…掛止部
２４…摘み部
２４１…凸部
３０…容器
３１…容器本体
３１１…筒状部
３１２…底面部
３１３…雄螺子部
３１４…鍔部
３２…内蓋
３３…外蓋
３３１…筒状部
３３２…上面部
３３３…雌螺子部
Ｌ…化粧液
【図１】
0003211056.tif 000003
【図２】
0003211056.tif 000004
【図３】
0003211056.tif 000005
【図４】
0003211056.tif 000006
【図５】
0003211056.tif 000007
【図６】
0003211056.tif 000008